(57)【要約】【課題】ケーブルがコアを備えていてもハウジングに強固に取り付けることができ、ケーブル変更作業やケーブル交換作業が容易なケーブル取付構造及びそのケーブル取付構造を備えた配線構造並びにその配線構造を備えた電子機器を提供すること。【解決手段】コア２を保持するコア保持部１１と、当該コア保持部に保持された前記コアの両側のケーブル１を保持するケーブル保持部１２が、ハウジング１０１に一体成形されている。これにより、ハウジングと一体化されたコア保持部とケーブル保持部によりコアとケーブルが保持されているので、コアとケーブルをハウジングに強固に取り付けることができ、また、ケーブル変更作業やケーブル交換作業が容易に行うことができる。【選択図】図５
2008078570.tif 000002
【特許請求の範囲】
【請求項１】
コアを備えたケーブルを取り付けるケーブル取付構造であって、
前記コアを保持するコア保持部と、当該コア保持部に保持された前記コアの両側の前記ケーブルを保持するケーブル保持部が、ハウジングに一体成形されていることを特徴とするケーブル取付構造。
【請求項２】
前記コア保持部は、少なくとも前記コアの周面両側及び周面下側と両側面側を囲むように設けられていることを特徴とする請求項１に記載のケーブル取付構造。
【請求項３】
前記コア保持部における前記コアの両側面側を保持する保持部分は、前記ケーブルを通す切欠き部が設けられていることを特徴とする請求項２に記載のケーブル取付構造。
【請求項４】
前記コア保持部は、前記コアの固定用フックを備えていることを特徴とする請求項１〜３の何れか一項に記載のケーブル取付構造。
【請求項５】
前記フックは、前記コアの周面一側に係止可能に設けられていることを特徴とする請求項４に記載のケーブル取付構造。
【請求項６】
前記ケーブル保持部は、断面が逆Ｌ字形状に設けられていることを特徴とする請求項１〜５の何れか一項に記載のケーブル取付構造。
【請求項７】
電子機器に使用されるケーブルの配線構造であって、
請求項１〜６の何れか一項に記載のケーブル取付構造を備えたことを特徴とする配線構造。
【請求項８】
請求項７に記載の配線構造を備えたことを特徴とする電子機器。
【発明の詳細な説明】
【技術分野】
【０００１】
本発明は、コアを備えたケーブルを取り付けるケーブル取付構造及びそのケーブル取付構造を備えた配線構造並びにその配線構造を備えた電子機器に関する。
【背景技術】
【０００２】
電子機器の内部にて引き回されるケーブルを取り付ける構造として、ケーブル厚みよりも厚い吸音材に粘着面側から切り込みを入れ、この切り込みにケーブルを挟んで当該吸音材を機器内部に貼付して固定するものが提案されている（特許文献１参照）。
【０００３】
【特許文献１】実開平４−２５００８号公報
【発明の開示】
【発明が解決しようとする課題】
【０００４】
上述した従来のケーブル取付構造では、ケーブルを粘着性の吸音材により機器内部に貼付して固定しているため、ケーブルがコアを備えている場合は、コアの重量により吸音材が剥がれるおそれがある。また、ケーブルの引き回しを変更する場合や交換する場合に、吸音材を剥がす作業が必要なため、ケーブル変更作業やケーブル交換作業が困難であり、更にはケーブルを傷付けるおそれがある。
【０００５】
本発明は、上記のような課題に鑑みなされたものであり、その目的は、ケーブルがコアを備えていてもハウジングに強固に取り付けることができ、ケーブル変更作業やケーブル交換作業が容易なケーブル取付構造及びそのケーブル取付構造を備えた配線構造並びにその配線構造を備えた電子機器を提供することにある。
【課題を解決するための手段】
【０００６】
上記目的達成のため、本発明のケーブル取付構造では、コアを備えたケーブルを取り付けるケーブル取付構造であって、前記コアを保持するコア保持部と、当該コア保持部に保持された前記コアの両側の前記ケーブルを保持するケーブル保持部が、ハウジングに一体成形されていることを特徴としている。これにより、ハウジングと一体化されたコア保持部とケーブル保持部によりコアとケーブルが保持されているので、コアとケーブルをハウジングに強固に取り付けることができ、また、ケーブル変更作業やケーブル交換作業が容易に行うことができる。
【０００７】
また、前記コア保持部は、少なくとも前記コアの周面両側及び周面下側と両側面側を囲むように設けられたことを特徴としている。これにより、コアを位置決め固定することができるので、適用される電子機器の組立時におけるコアの破損を防止することができる。また、前記コア保持部における前記コアの両側面側を保持する保持部分は、前記ケーブルを通す切欠き部が設けられていることを特徴としている。これにより、コア両側のケーブルを持ってコアをコア保持部に容易に嵌め込み若しくは抜き取ることができる。
【０００８】
また、前記コア保持部は、前記コアの固定用フックを備えていることを特徴としている。これにより、コアをコア保持部に押し付けることができるので、脆性材料であるコアに余計な力を掛けずに確実に保持することができる。また、フックは、前記コアの周面一側に係止可能に設けられていることを特徴としている。これにより、コア保持部からのコアの抜けを防止することができる。また、前記ケーブル保持部は、断面が逆Ｌ字形状に設けられていることを特徴としている。これにより、ケーブルの取り付け・取り外しを容易に行うことができる。
【０００９】
上記目的達成のため、本発明の配線構造は、電子機器に使用されるケーブルの配線構造であって、上記各ケーブル取付構造を備えたことを特徴としている。また、上記目的達成のため、本発明の電子機器は、上記配線構造を備えたことを特徴としている。これにより、上記各作用効果を奏する配線構造又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係るケーブル取付構造を備えた電子機器である記録装置の外観構成の全体を示す斜視図である。この記録装置はプリンタ、コピー及びスキャナの機能を有するインクジェット式複合機１００である。このインクジェット式複合機１００は、全体が略直方体状のハウジング１０１で覆われている。そして、ハウジング１０１の上面における前面側には操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面にはスキャナ１６０が配設されている。このハウジング１０１の内部に本実施形態のケーブル取付構造１０（図３等参照）が設けられている。尚、このケーブル取付構造１０の詳細は後述する。
【００１２】
操作部１１０は、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１３】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１４】
ディスクスロット部１３０は、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１５】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１６】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００１７】
スキャナ１６０は、扁平直方体状のスキャナハウジング１６１と、平板状のスキャナカバー１６２を備えている。スキャナハウジング１６１は、内部に棒状のＣＣＤ（Ｃｈａｒｇｅ  Ｃｏｕｐｌｅｄ  Ｄｅｖｉｃｅ）が前面側から背面側に延びるように配置され、図示しないスキャナモータとベルト機構により幅方向に往復移動可能に配設されている。そして、後端の回転軸を中心に図示矢印ｃ方向に回動可能に取り付けられている。スキャナカバー１６２は、スキャナハウジング１６１の上面に取り付けられている図示しないスキャナ用ガラスを覆うように配置され、後端の回転軸を中心に図示矢印ｃ方向に回動可能に取り付けられている。ユーザは、スキャナ１６０を使用するときは、スキャナカバー１６２を開いて原稿をスキャナ用ガラス上に載置し、スキャナカバー１６２を閉じてスイッチをオンさせれば良いので、容易にスキャニング作業を行うことができる。次に、本発明の特徴的な部分であるケーブル取付構造１０について、更に図を参照して説明する。
【００１８】
図２は、インクジェット式複合機１００のスキャナ１６０を開いた状態を示す斜視図、図３は、ハウジング１０１内に設けられたケーブル取付構造１０を示す斜視図、図４は、ケーブル取付構造１０の詳細を示す斜視図、図５は、図４のケーブル取付構造１０にコアを備えたケーブルを取付けた状態を示す斜視図である。このケーブル取付構造１０は、図２に示すスキャナ１６０で覆われるハウジング１０１の天面１０１ａのうち図示前側の基板カバー１０１ｂの下部に設けられている。尚、この基板カバー１０１ｂは、ハウジング１０１内に配置される図示しない基板及びディスク装置を覆う機能を備えている。
【００１９】
基板カバー１０１ｂの下部のハウジング１０１には、図３〜図５に示すように、ビニールケーブル１に挿入されたフェライトコア２を保持するコア保持部１１と、そのコア保持部１１の両側に配置され、フェライトコア２の両端から延びるビニールケーブル１を保持するケーブル保持部１２を備えている。コア保持部１２とケーブル保持部１１は、ハウジング１０１上に突出するように一体成形されている。
【００２０】
コア保持部１１は、軸方向が略水平を向くように配置される中空筒状のフェライトコア２の周囲、即ち少なくともフェライトコア２の周面両側及び周面下側と両側面側を囲んで保持する箱状に形成されている。これにより、フェライトコア２を位置決め固定することができるので、インクジェット式複合機１００の組立時におけるフェライトコア２の破損を防止することができる。また、コア保持部１１におけるフェライトコア２の両側面側を保持する保持部分１１ａは、ビニールケーブル１を通す切欠き部１１ｂが設けられている。これにより、フェライトコア２の両側のビニールケーブル１を持ってフェライトコア２をコア保持部１１に容易に嵌め込み若しくは抜き取ることができる。
【００２１】
また、コア保持部１１におけるフェライトコア２の周面一側を保持する保持部分１１ｃは、フェライトコア２を固定する２本の固定用フック１１ｄが立設されている。固定用フック１１ｄは、先端が鉤状に形成されて下端を支点に弾性変形するようになっている。また、コア保持部１１におけるフェライトコア２の周面他側を保持する保持部分１１ｅの上部には、突起部１１ｆが内側に向かって突設されている。従って、固定用フック１１ｄの先端部によりフェライトコア２の周面一側を押圧して周面他側をコア保持部１１の保持部分１１ｅに押し付けることができるので、脆性材料であるフェライトコア２に余計な力を掛けずに確実に保持することができる。更に、固定用フック１１ｄの先端鉤部と保持部分１１ｅの突起部１１ｆによりフェライトコア２の周面を係止することができるので、コア保持部１１からのフェライトコア２の抜けを防止することができる。
【００２２】
ケーブル保持部１２は、ハウジング１０１に対し垂直な断面形状が逆Ｌ字状となるように一体成形されており、このＬ字外側からＬ字内側に、もしくはＬ字内側からＬ字外側にビニールケーブル１を回し込むことにより当該ビニールケーブル１の取り付けもしくは取外しを容易に行うことができる。従って、当該作業効率を向上させることができる。以上のように、ハウジング１０１と一体化されたコア保持部１１とケーブル保持部１２によりフェライトコア２とビニールケーブル１が保持されているので、フェライトコア２とビニールケーブル１をハウジング１０１に強固に取り付けることができ、また、ケーブル変更作業やケーブル交換作業が容易に行うことができる。また、フェライトコア２をビニールケーブル１のノイズ対策のために規定された位置に配置することができるので、インクジェット式複合機１００におけるノイズ障害を防止することができる。更に、フェライトコア２を正確に位置決め固定することができるので、フェライトコア２が他の部品と干渉することは無く、フェライトコア２や他の部品の破損等を防止することができる。
【００２３】
尚、上述した実施形態で説明したコア保持部１１とケーブル保持部１２の配置箇所や配置個数は限定されるものでは無く、任意の配置箇所や配置個数としても良い。また、コア保持部１１には、フェライトコア２に限らず、ＥＭＩ対策部品を保持させることができる。また、ケーブル及びコアの保持箇所が限定されるので、作業者間でのケーブル配線並びにコア固定作業のバラツキは発生し難くなる。
【産業上の利用可能性】
【００２４】
ケーブル取付構造を備えた電子機器であれば、例えばファクシミリ装置、コピー装置、スキャナ等の記録装置を含む一般的な電子機器であっても適用可能である。
【図面の簡単な説明】
【００２５】
【図１】本発明の一実施の形態に係るケーブル取付構造を備えた電子機器である記録装置の外観構成の全体を示す斜視図である。
【図２】図１の記録装置のスキャナを開いた状態を示す斜視図である。
【図３】図２のハウジング内に設けられたケーブル取付構造を示す斜視図である。
【図４】図３のケーブル取付構造の詳細を示す斜視図である。
【図５】図４のケーブル取付構造にコアを備えたケーブルを取付けた状態を示す斜視図である。
【符号の説明】
【００２６】
１  ビニールケーブル、２  フェライトコア、１０  ケーブル取付構造、１１  コア保持部、１２  ケーブル保持部、１００  インクジェット式複合機、１０１  ハウジング、１１０  操作部、１２０  メモリカードスロット部、１３０  ディスクスロット部、１４０  給紙部、１５０  排紙部、１６０  スキャナ
【図１】
2008078570.tif 000003
【図２】
2008078570.tif 000004
【図３】
2008078570.tif 000005
【図４】
2008078570.tif 000006
【図５】
2008078570.tif 000007